(57)【要約】【課題】ＢＤ及びＨＤ−ＤＶＤに対し再生及び記録を行える光ピックアップを提供する。【解決手段】光ピックアップは、ＢＤに適した開口数の第１対物レンズ２１と、ＨＤ−ＤＶＤに適した開口数の第２対物レンズ２２と、ＢＤ及びＨＤ−ＤＶＤに適した波長の光を出射する光源１０と、光源１０からの光を偏光成分によって透過又は反射させ第１対物レンズ２１及び第２対物レンズ２２の何れかに選択的に案内する第１ビームスプリッタ３０と、光源１０からの光を０次メインビームと±１次サブビームに分割しＢＤ及びＨＤ−ＤＶＤの一トラックに一列に照射させる格子パターンを有する回折素子１２０と、ＢＤによって反射されて戻る光を受光する第１光検出器４１と、ＨＤ−ＤＶＤによって反射されて戻る光を受光する第２光検出器４２とを含む。第１光検出器４１と第２光検出器４２は、第１ビームスプリッタ３０からの光経路距離が互いに同一になるように位置する。【選択図】図１
2008052888.tif 000002
【特許請求の範囲】
【請求項１】
ＢＤに適した開口数を有する第１対物レンズと、
ＨＤ−ＤＶＤに適した開口数を有する第２対物レンズと、
ＢＤ及びＨＤ−ＤＶＤに適した波長の光を出射する光源と、
前記光源から出射された光を、偏光成分によって透過または反射させて前記第１対物レンズ及び第２対物レンズのうち何れか一つに選択的に案内する第１ビームスプリッタと、
前記光源から出射された光を０次のメインビームと±１次のサブビームに分割し、前記メインビームと前記サブビームをＢＤ及びＨＤ−ＤＶＤの一つのトラックに一列に照射させるための格子パターンを有する回折素子と、
ＢＤによって反射されて戻る光を受光するための第１光検出器と、
ＨＤ−ＤＶＤによって反射されて戻る光を受光するための第２光検出器と、を含み、
前記第１光検出器と前記第２光検出器は、前記第１ビームスプリッタからの光経路距離が互いに同一になるように位置することを特徴とする光ピックアップ。
【請求項２】
前記光源と前記第１ビームスプリッタとの間の光経路上には、前記光源から出射された光の偏光成分を変換するための偏光スイッチが備わることを特徴とする請求項１に記載の光ピックアップ。
【請求項３】
前記偏光スイッチと前記回折素子は、一つの光素子として一体に形成されることを特徴とする請求項２に記載の光ピックアップ。
【請求項４】
前記第１ビームスプリッタによって反射された光を前記第１対物レンズ及び前記第２対物レンズのうち何れか一つに案内する第２ビームスプリッタをさらに含むことを特徴とする請求項１に記載の光ピックアップ。
【請求項５】
前記第１ビームスプリッタと前記第２ビームスプリッタは、一体に形成されることを特徴とする請求項４に記載の光ピックアップ。
【請求項６】
ＢＤ及びＨＤ−ＤＶＤによって反射されて戻る光の偏光成分によって、光を透過または反射させて前記第１光検出器及び前記第２光検出器のうち何れか一つに案内する第３ビームスプリッタをさらに含むことを特徴とする請求項１に記載の光ピックアップ。
【請求項７】
前記第１対物レンズと前記第１ビームスプリッタとの間の光経路上には、第１の１／４波長板が設置され、前記第２対物レンズと前記第２ビームスプリッタとの間の光経路上には、第２の１／４波長板が設置されることを特徴とする請求項１に記載の光ピックアップ。
【請求項８】
第１光ディスクに適した開口数を有する第１対物レンズと、
第２光ディスクに適した開口数を有する第２対物レンズと、
前記第１光ディスク及び第２光ディスクに適した波長の光を出射する一つの光源と、
前記光源から出射された光を０次のメインビームと±１次のサブビームに分割し、前記メインビーム及び前記サブビームを前記第１光ディスク及び前記第２光ディスクの一つのトラックに一列に照射させるための格子パターンを有する回折素子と、
前記光源から出射された光を、偏光成分によって透過または反射させて前記第１対物レンズ及び前記第２対物レンズのうち何れか一つに選択的に案内するビームスプリッタと、
前記光源から出射された光の偏光成分を変換するために、前記光源と前記ビームスプリッタとの間に配置される偏光スイッチと、
前記第１光ディスクまたは前記第２光ディスクによって反射されて戻る光を検出するための一つの光検出器と、を含むことを特徴とする光ピックアップ。
【請求項９】
前記偏光スイッチと前記回折素子は、一つの光素子として一体に形成されることを特徴とする請求項８に記載の光ピックアップ。
【請求項１０】
前記第１光ディスクはＢＤで、前記第２光ディスクはＨＤ−ＤＶＤであることを特徴とする請求項８に記載の光ピックアップ。
【請求項１１】
光ディスクの第１タイプからデータを読むか、光ディスクの第１タイプにデータを記録するために第１開口数を有する第１対物レンズと、
光ディスクの第２タイプからデータを読むか、光ディスクの第１タイプにデータを記録するために、前記第１開口数とは異なる第２開口数を有する第２対物レンズと、
少なくとも前記第１及び第２対物レンズに光を提供するための一つの光源と、
前記光源から出射された光を０次のメインビームと±１次のサブビームに分割し、前記メインビームと前記サブビームを前記第１対物レンズ及び前記第２対物レンズのうち少なくとも一つを通して光ディスクの一つのトラックに一列に照射させるための格子回折素子と、
前記第１及び第２対物レンズのうち少なくとも一つを通して前記光ディスクから反射されて戻る光を検出するための一つの光検出器を備える検出器ユニットと、を含むことを特徴とする光ピックアップ。
【請求項１２】
光ディスクの第１タイプからデータを読むか、光ディスクの第１タイプにデータを記録するために第１開口数を有する第１対物レンズと、
光ディスクの第２タイプからデータを読むか、光ディスクの第２タイプにデータを記録するために、前記第１開口数とは異なる第２開口数を有する第２対物レンズと、
少なくとも前記第１及び第２対物レンズに光を提供するための一つの光源と、
前記光源から出射された光を０次のメインビームと±１次のサブビームに分割し、前記メインビームと前記サブビームを前記第１対物レンズ及び前記第２対物レンズのうち少なくとも一つを通して光ディスクの一つのトラックに一列に照射させるための格子回折素子と、
前記第１及び第２対物レンズのうち少なくとも一つを通して前記光ディスクから反射されて戻る光を検出するための検出器ユニットと、を含み、
前記検出器ユニットは、少なくとも前記第１及び第２対物レンズを通して反射されて戻る光を検出するための第１及び第２光検出器をそれぞれ含み、前記第１及び第２光検出器は、前記格子回折素子から同一の距離に配置されることを特徴とする光ピックアップ。
【請求項１３】
光ディスクの第１タイプからデータを読むか、光ディスクの第１タイプにデータを記録するために第１開口数を有する第１対物レンズと、光ディスクの第２タイプからデータを読むか、光ディスクの第２タイプにデータを記録するために前記第１開口数とは異なる第２開口数を有する第２対物レンズと、を含む少なくとも二つの対物レンズと、
前記少なくとも二つの対物レンズの少なくとも前記第１及び第２対物レンズに光を提供するための光源と、
前記光源から前記少なくとも二つの対物レンズの少なくとも前記第１及び第２対物レンズに出射された光を０次のメインビームと±１次のサブビームに分割し、前記メインビームと前記サブビームを、前記少なくとも二つの対物レンズの対応する対物レンズのうち一つを通して前記光ディスクの一つのトラックに一列に照射させるための格子回折素子と、
前記少なくとも二つの対物レンズのうち少なくとも一つを通して前記光ディスクから反射されて戻る光を検出するための光検出器ユニットと、を含み、
前記光検出器ユニットは、前記少なくとも二つの対物レンズの前記第１及び第２対物レンズのうち少なくとも一つを通して前記光ディスクから反射されて戻る光を検出するための第１光検出器を含むことを特徴とする光ピックアップ。
【請求項１４】
光ディスクの第１タイプからデータを読むか、光ディスクの第１タイプにデータを記録するために第１開口数を有する第１対物レンズと、光ディスクの第２タイプからデータを読むか、光ディスクの第２タイプにデータを記録するために前記第１開口数とは異なる第２開口数を有する第２対物レンズと、を含む少なくとも二つの対物レンズと、
前記少なくとも二つの対物レンズのうち少なくとも前記第１及び第２対物レンズに光を提供するための光源と、
前記光源から前記少なくとも二つの対物レンズの少なくとも前記第１及び第２対物レンズに出射された光を０次のメインビームと±１次のサブビームに分割し、前記メインビームと前記サブビームを、前記少なくとも二つの対物レンズの対応する対物レンズのうち一つを通して前記光ディスクの一つのトラックに一列に照射させるための格子回折素子と、
前記少なくとも二つの対物レンズのうち少なくとも一つを通して前記光ディスクから反射されて戻る光を検出するための光検出器ユニットと、を含み、
前記光検出器ユニットは、前記少なくとも二つの対物レンズの少なくとも第１及び第２対物レンズを通して前記光ディスクから反射されて戻る光を検出するための第１及び第２光検出器をそれぞれ含み、前記第１及び第２光検出器は、前記格子回折素子から実質的に同一の距離に配置されることを特徴とする光ピックアップ。
【発明の詳細な説明】
【技術分野】
【０００１】
本発明は、光ピックアップに係り、特に、ＢＤ（Ｂｌｕ−ｒａｙ  Ｄｉｓｃ）及びＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）と互換性があり、ＢＤ及びＨＤ−ＤＶＤの記録／再生が可能な光ピックアップに関する。
【背景技術】
【０００２】
光ディスクは、光学的な方法で音声、画像、文書などのデータを記録／再生するための保存媒体をいい、光ピックアップは、半導体レーザーを用いて非接触方法で光ディスクに保存された情報を再生するか、光ディスクに情報を記録する装置をいう。
【０００３】
一般的に、光ピックアップには、光ディスク記録面の所望のトラックに光の焦点がよく結ばれるように、対物レンズの位置をフォーカシング方向及びトラッキング方向に制御するための構成を設けている。このうち、トラッキング方向制御のためのトラッキングエラー信号検出方法としては、３ビーム法、ＰＰ（Ｐｕｓｈ−Ｐｕｌｌ）法、ＤＰＰ（Ｄｉｆｆｅｒｅｎｔｉａｌ  Ｐｕｓｈ−Ｐｕｌｌ）法、ＤＰＤ（Ｄｉｆｆｅｒｅｎｔｉａｌ  Ｐｈａｓｅ  Ｄｅｔｅｃｔｉｏｎ）法などの多様な方法がある。これらのうち、ＤＰＰ法は、トラックの中心に照射されるメインビームと、このメインビームから光ディスクの半径方向及び接線方向に所定距離だけ離隔して照射される２個のサブビームと、を用いる。このＤＰＰ法を用いると、光ディスクの再生及び記録が全て可能であるとともに、比較的簡単な光学系によってエラー信号を検出できるという利点がある。
【０００４】
一方、現在、商用化された代表的な光ディスクとしては、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）があり、近来は、次世代の光ディスクとして、記録容量を一層高めたＢＤ（Ｂｌｕ−ｒａｙ  Ｄｉｓｃ）及びＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）などの高密度記録媒体に関する研究が活発に行われている。しかしながら、現在、次世代の光ディスク市場ではＢＤとＨＤ−ＤＶＤの規格が統一されてなく、このような状況に対処するために、規格の異なるＢＤ及びＨＤ−ＤＶＤと互換性のある光ピックアップを開発する必要がある。
【０００５】
上記のような互換型光ピックアップを具現するとき、一つの光源と一つのＢＤ／ＨＤ−ＤＶＤ共用対物レンズを用いて光学系を構成することで、要求される光部品の数を最小化することが好ましいが、ＢＤ／ＨＤ−ＤＶＤ共用対物レンズを開発するには相当な技術的困難さが伴う。
【０００６】
上記のような問題点を解決するための代案として、一つの光源と二つの対物レンズ（ＢＤ用対物レンズとＨＤ−ＤＶＤ用対物レンズ）を用いて光学系を構成することができる。しかしながら、この場合も、ＢＤとＨＤ−ＤＶＤの規格が異なるので、ＢＤ及びＨＤ−ＤＶＤのうち何れか一つにはＤＰＰ法を適用できないという問題点がある。すなわち、ＢＤ規格に合せて回折素子（トラッキングエラー信号検出のために３ビームを形成する素子）を調整するときは、ＨＤ−ＤＶＤにＤＰＰ法を適用できなく、その反対に、ＨＤ−ＤＶＤ規格に合せて回折素子を調整するときは、ＢＤにＤＰＰ法を適用できない。そのため、ＤＰＰ法を適用できない光ディスクには、ＤＰＤ法などの他のトラッキングサーボ方法を用いる必要があるが、この場合、ＤＰＤ法を適用した光ディスクは、再生のみが可能で、記録が不可能になる。
【特許文献１】特開平０９―８１９４２号公報
【特許文献２】韓国特許出願公開第２００６―８４６８８号明細書
【発明の開示】
【発明が解決しようとする課題】
【０００７】
本発明は、上記のような問題点を解決するためのもので、その目的は、ＢＤ及びＨＤ−ＤＶＤと互換性があり、ＢＤ及びＨＤ−ＤＶＤに対して再生及び記録を全て行えるように構成される光ピックアップを提供することにある。
【課題を解決するための手段】
【０００８】
上記のような目的を達成するための本発明に係る光ピックアップは、ＢＤに適した開口数を有する第１対物レンズと、ＨＤ−ＤＶＤに適した開口数を有する第２対物レンズと、ＢＤ及びＨＤ−ＤＶＤに適した波長の光を出射する光源と、前記光源から出射された光を、偏光成分によって透過または反射させて前記第１対物レンズ及び第２対物レンズのうち何れか一つに選択的に案内する第１ビームスプリッタと、前記光源から出射された光を０次のメインビームと±１次のサブビームに分割し、前記メインビームと前記サブビームをＢＤ及びＨＤ−ＤＶＤの一つのトラックに一列に照射させるための格子パターンを有する回折素子と、ＢＤによって反射されて戻る光を受光するための第１光検出器と、ＨＤ−ＤＶＤによって反射されて戻る光を受光するための第２光検出器と、を含み、前記第１光検出器と前記第２光検出器は、前記第１ビームスプリッタからの光経路距離が互いに同一になるように位置することを特徴とする。
【０００９】
前記光源と前記第１ビームスプリッタとの間の光経路上には、前記光源から出射された光の偏光成分を変換するための偏光スイッチが備わる。
【００１０】
前記偏光スイッチと前記回折素子は、一つの光素子として一体に形成される。
【００１１】
また、本発明に係る光ピックアップは、前記第１ビームスプリッタによって反射された光を前記第１対物レンズ及び前記第２対物レンズのうち何れか一つに案内する第２ビームスプリッタをさらに含み、このとき、前記第１ビームスプリッタと前記第２ビームスプリッタは、一体に形成される。
【００１２】
また、本発明に係る光ピックアップは、ＢＤ及びＨＤ−ＤＶＤによって反射されて戻る光の偏光成分によって、光を透過または反射させて前記第１光検出器及び第２光検出器のうち何れか一つに案内する第３ビームスプリッタをさらに含む。
【００１３】
前記第１対物レンズと前記第１ビームスプリッタとの間の光経路上には、第１の１／４波長板が設置され、前記第２対物レンズと前記第２ビームスプリッタとの間の光経路上には、第２の１／４波長板が設置される。
【００１４】
また、本発明に係る光ピックアップは、第１光ディスクに適した開口数を有する第１対物レンズと、第２光ディスクに適した開口数を有する第２対物レンズと、前記第１光ディスク及び第２光ディスクに適した波長の光を出射する一つの光源と、前記光源から出射された光を０次のメインビームと±１次のサブビームに分割し、前記メインビーム及び前記サブビームを前記第１光ディスク及び前記第２光ディスクの一つのトラックに一列に照射させるための格子パターンを有する回折素子と、前記光源から出射された光を、偏光成分によって透過または反射させて前記第１対物レンズ及び前記第２対物レンズのうち何れか一つに選択的に案内するビームスプリッタと、前記光源から出射された光の偏光成分を変換するために、前記光源と前記ビームスプリッタとの間に配置される偏光スイッチと、前記第１光ディスクまたは前記第２光ディスクによって反射されて戻る光を検出するための一つの光検出器と、を含むことを特徴とする。
【００１５】
また、本発明に係る光ピックアップは、光ディスクの第１タイプからデータを読むか、光ディスクの第１タイプにデータを記録するために第１開口数を有する第１対物レンズと、光ディスクの第２タイプからデータを読むか、光ディスクの第１タイプにデータを記録するために、前記第１開口数とは異なる第２開口数を有する第２対物レンズと、少なくとも前記第１及び第２対物レンズに光を提供するための一つの光源と、前記光源から出射された光を０次のメインビームと±１次のサブビームに分割し、前記メインビームと前記サブビームを前記第１対物レンズ及び前記第２対物レンズのうち少なくとも一つを通して光ディスクの一つのトラックに一列に照射させるための格子回折素子と、前記第１及び第２対物レンズのうち少なくとも一つを通して前記光ディスクから反射されて戻る光を検出するための一つの光検出器を備える検出器ユニットと、を含むことを特徴とする。
【００１６】
また、本発明に係る光ピックアップは、光ディスクの第１タイプからデータを読むか、光ディスクの第１タイプにデータを記録するために第１開口数を有する第１対物レンズと、光ディスクの第２タイプからデータを読むか、光ディスクの第２タイプにデータを記録するために、前記第１開口数とは異なる第２開口数を有する第２対物レンズと、少なくとも前記第１及び第２対物レンズに光を提供するための一つの光源と、前記光源から出射された光を０次のメインビームと±１次のサブビームに分割し、前記メインビームと前記サブビームを前記第１対物レンズ及び前記第２対物レンズのうち少なくとも一つを通して光ディスクの一つのトラックに一列に照射させるための格子回折素子と、前記第１及び第２対物レンズのうち少なくとも一つを通して前記光ディスクから反射されて戻る光を検出するための検出器ユニットと、を含み、前記検出器ユニットは、少なくとも前記第１及び第２対物レンズを通して反射されて戻る光を検出するための第１及び第２光検出器をそれぞれ含み、前記第１及び第２光検出器は、前記格子回折素子から同一の距離に配置されることを特徴とする。
【００１７】
また、本発明に係る光ピックアップは、光ディスクの第１タイプからデータを読むか、光ディスクの第１タイプにデータを記録するために第１開口数を有する第１対物レンズと、光ディスクの第２タイプからデータを読むか、光ディスクの第２タイプにデータを記録するために前記第１開口数とは異なる第２開口数を有する第２対物レンズと、を含む少なくとも二つの対物レンズと、前記少なくとも二つの対物レンズの少なくとも前記第１及び第２対物レンズに光を提供するための光源と、前記光源から前記少なくとも二つの対物レンズの少なくとも前記第１及び第２対物レンズに出射された光を０次のメインビームと±１次のサブビームに分割し、前記メインビームと前記サブビームを、前記少なくとも二つの対物レンズの対応する対物レンズのうち一つを通して前記光ディスクの一つのトラックに一列に照射させるための格子回折素子と、前記少なくとも二つの対物レンズのうち少なくとも一つを通して前記光ディスクから反射されて戻る光を検出するための光検出器ユニットと、を含み、前記光検出器ユニットは、前記少なくとも二つの対物レンズの前記第１及び第２対物レンズのうち少なくとも一つを通して前記光ディスクから反射されて戻る光を検出するための第１光検出器を含むことを特徴とする。
【００１８】
また、本発明に係る光ピックアップは、光ディスクの第１タイプからデータを読むか、光ディスクの第１タイプにデータを記録するために第１開口数を有する第１対物レンズと、光ディスクの第２タイプからデータを読むか、光ディスクの第２タイプにデータを記録するために前記第１開口数とは異なる第２開口数を有する第２対物レンズと、を含む少なくとも二つの対物レンズと、前記少なくとも二つの対物レンズのうち少なくとも前記第１及び第２対物レンズに光を提供するための光源と、前記光源から前記少なくとも二つの対物レンズの少なくとも前記第１及び第２対物レンズに出射された光を０次のメインビームと±１次のサブビームに分割し、前記メインビームと前記サブビームを、前記少なくとも二つの対物レンズの対応する対物レンズのうち一つを通して前記光ディスクの一つのトラックに一列に照射させるための格子回折素子と、前記少なくとも二つの対物レンズのうち少なくとも一つを通して前記光ディスクから反射されて戻る光を検出するための光検出器ユニットと、を含み、前記光検出器ユニットは、前記少なくとも二つの対物レンズの少なくとも第１及び第２対物レンズを通して前記光ディスクから反射されて戻る光を検出するための第１及び第２光検出器をそれぞれ含み、前記第１及び第２光検出器は、前記格子回折素子から実質的に同一の距離に配置されることを特徴とする。
【発明の効果】
【００１９】
本発明は、一つの光源と二つの対物レンズを用いて光学系を構成するとともに、トラッキング制御のためのＤＰＰ法をＢＤとＨＤ−ＤＶＤに全て適用することで、ＢＤとＨＤ−ＤＶＤの記録及び再生を全て可能にするという効果がある。
【００２０】
また、本発明は、ＢＤ用の光検出器とＨＤ−ＤＶＤ用の光検出器を同一のＰＤＩＣを用いて具現することで、部品の共用化を図れるという効果がある。
【発明を実施するための最良の形態】
【００２１】
以下、本発明の好適な実施例を、添付の図面に基づいて詳細に説明する。
【００２２】
図１は、本発明の第１実施例に係る光ピックアップの構成を概略的に示した図である。図１に示すように、本実施例に係る光ピックアップは、ＢＤとＨＤ−ＤＶＤを記録／再生するのに適した波長の光を出射する光源１０と、ＢＤの記録／再生のためにＢＤに光を集束する第１対物レンズ２１と、ＨＤ−ＤＶＤの記録／再生のためにＨＤ−ＤＶＤに光を集束する第２対物レンズ２２と、光源１０から出射された光を透過または反射させ、第１対物レンズ２１または第２対物レンズ２２に光を案内する第１ビームスプリッタ３０と、ＢＤによって反射されて戻った光を受光し、情報信号及び誤差信号を検出する第１光検出器４１と、ＨＤ−ＤＶＤによって反射されて戻った光を受光し、情報信号及び誤差信号を検出する第２光検出器４２と、を備えている。
【００２３】
光源１０は、約４０５ｎｍの波長を有する青色光を出射するレーザーダイオードであり、ＢＤとＨＤ−ＤＶＤの再生時に共用される。
【００２４】
第１対物レンズ２１は、ＢＤの情報を再生したり、ＢＤに情報を記録するのに適した０．８５程度の開口数を有して設けられ、第２対物レンズ２２は、ＨＤ−ＤＶＤの情報を再生したり、ＨＤ−ＤＶＤに情報を記録するのに適した０．６５程度の開口数を有して設けられる。ここで、第１対物レンズ２１と第２対物レンズ２２は、アクチュエータ（図示せず）に並んで装着され、誤差補正のためにフォーカシング方向とトラック方向に駆動される。
【００２５】
第１ビームスプリッタ３０は、入射光の偏光成分によって光を透過または反射させる偏光依存性ビームスプリッタであり、この第１ビームスプリッタ３０によって、光源１０から入射される光が、その偏光によって第１対物レンズ２１や第２対物レンズ２２のうち何れか一つに入射され、光ディスク（例えば、ＢＤ、ＨＤ−ＤＶＤ）によって反射されて戻る光が光検出器４１，４２側に向かう。
【００２６】
光経路上の第１ビームスプリッタ３０の前方に偏光スイッチ５０が配置されるが、この偏光スイッチ５０は、電圧印加時に１／２波長板として機能し、光源１０から入射される光の偏光成分を変える。例えば、光源１０からＰ偏光の光が入射される場合、偏光スイッチ５０に電圧が印加されると、Ｐ偏光の光は、Ｓ偏光の光に変換されて第１ビームスプリッタ３０に入射される。また、偏光スイッチ５０に電圧が印加されないとき、Ｐ偏光の光は、そのまま第１ビームスプリッタ３０に入射される。
【００２７】
光源１０から第２対物レンズ２２に向かう光経路上の第１ビームスプリッタ３０の後方には、第１ビームスプリッタ３０によって反射された光を再び反射させて第２対物レンズ２２側に向かせる第２ビームスプリッタ６０が配置される。この第２ビームスプリッタ６０と第１ビームスプリッタ３０とが一体に形成される場合、第１ビームスプリッタ３０と第２ビームスプリッタ６０の配置空間を一層効率的に用いることができる。
【００２８】
また、第１ビームスプリッタ３０と第１対物レンズ２１との間の光経路上には、第１視準レンズ７１、第１の１／４波長板８１及び第１ミラー９１が配置され、これと同様に、第２ビームスプリッタ６０と第２対物レンズ２２との間の光経路上には、第２視準レンズ７２、第２の１／４波長板８２及び第２ミラー９２が配置される。
【００２９】
第１視準レンズ７１と第２視準レンズ７２は、光源１０から出射されて第１対物レンズ２１または第２対物レンズ２２に向かう光を平行光に変換し、第１の１／４波長板８１と第２の１／４波長板８２は、ＢＤやＨＤ−ＤＶＤによって反射されて戻る光の偏光成分を変換する。第１ミラー９１と第２ミラー９２は、光源１０から入射される光を第１対物レンズ２１または第２対物レンズ２２側に反射させる。
【００３０】
一方、第１ビームスプリッタ３０と第１光検出器４１との間の光経路、または、第１ビームスプリッタ３０と第２光検出器４２との間の光経路上には、非点収差法によってフォーカスエラー信号を検出できるように非点収差を発生させる非点収差レンズ１００と、ＢＤとＨＤ−ＤＶＤによって反射された後、第１ビームスプリッタ３０を経て戻る光を反射または透過させて第１光検出器４１または第２光検出器４２に案内する第３ビームスプリッタ１１０とが配置される。
【００３１】
また、光源１０と偏光スイッチ５０との間の光経路上には、ＤＰＰ法を用いてトラッキングエラー信号を検出できるように３ビームを形成する回折素子１２０が配置される。
【００３２】
回折素子１２０は、光源１０から出射される光を、０次回折光であるメインビームＭＢと、±１次回折光であるサブビームＳＢ１，ＳＢ２とに分割する。特に、本発明において、回折素子１２０の格子パターンは、分割されたメインビームＭＢとサブビームＳＢ１，ＳＢ２がＢＤとＨＤ−ＤＶＤの一つのトラックに一列に照射されるように形成される。その結果、異なるトラックピッチのＢＤとＨＤ−ＤＶＤの全てに対し、ＤＰＰ法によってトラッキングエラー信号を検出できるようになる。この場合も、メインビームＭＢとサブビームＳＢ１，ＳＢ２によって第１光検出器４１または第２光検出器４２で検出されるＰＰ方式による誤差信号の間に１８０度の位相差を発生させ、一般的なＤＰＰ法を適用するためには、回折素子１２０が特殊形態の格子パターンを有する必要がある。上記のような格子パターンを有する回折素子は、特許文献１、特許文献２等に開示されているので、これに関する詳細な説明は省略する。
【００３３】
特に、本発明では、第１ビームスプリッタ３０から第１光検出器４１までの光経路距離Ｄ１'＋Ｄ１”が第１ビームスプリッタ３０から第２光検出器４２までの光経路距離Ｄ２と同一になるように第１光検出器４１及び第２光検出器４２が位置する。その結果、第１光検出器４１と第２光検出器４２として互いに同一の２個のＰＤＩＣ（Ｐｈｏｔｏ  Ｄｉｏｄｅ  Ｉｎｔｅｇｒａｔｅｄ  Ｃｉｒｃｕｉｔ）を用いることで、光学部品を共用化することができる。
【００３４】
図２は、本発明の第２実施例に係る光ピックアップの構成を概略的に示した図である。図２に示した光ピックアップは、図１の回折素子１２０と偏光スイッチ５０を一つの光学素子１３０として一体に形成し、ＢＤから反射されて戻った光とＨＤ−ＤＶＤから反射されて戻った光を一つの共用光検出器４３を通して受光する点を除けば、図１に示した光ピックアップと同一である。図２において図１と同一の構成要素は、同一の図面符号を用いて示し、それに対する詳しい説明は省略する。
【００３５】
上記のように光ピックアップを構成すると、光部品の数を最小化することで、光ピックアップを一層コンパクトに具現することができる。本実施例において、回折素子１２０と偏光スイッチ５０を一つの光学素子１３０として一体に形成することは、図１の実施例にも適用される。
【００３６】
以下、図１に示した光ピックアップの光源からＰ偏光の光が出射される場合を例に挙げて、本発明に係る光ピックアップの動作を説明する。この実施例によると、光源１０から出射されたＰ偏光の光は、回折素子１２０を通過して回折され、ＤＰＰ法によってトラッキングエラー信号を検出できるように３ビームを形成する。回折素子１２０を経由した光は、偏光スイッチ５０を通過するが、偏光スイッチ５０は、ＢＤを記録／再生するときはＰ偏光の光をそのまま通過させ、ＨＤ−ＤＶＤを記録／再生するときはＰ偏光の光をＳ偏光の光に変換させる。
【００３７】
ＢＤを記録／再生する場合、偏光スイッチ５０を通過したＰ偏光の光は、第１ビームスプリッタ３０をそのまま透過し、第１視準レンズ７１及び第１の１／４波長板８１を通過して第１対物レンズ２１に入射される。このとき、第１視準レンズ７１は、発散光を平行光に変換し、第１の１／４波長板８１は、Ｐ偏光の光を円偏光に変換する。第１の１／４波長板８１を通過した光は、第１対物レンズ２１によってＢＤの記録面に光スポットを形成するが、このとき、回折素子１２０によって分割された０次のメインビームと±１次のサブビームは、ＢＤの一つのトラックに一列に光スポットを形成する。
【００３８】
上記のようにＢＤの記録面に光スポットを形成した後、光が反射されるが、このとき、円偏光の回転方向は入射時と反対となる。ＢＤによって反射された光は、第１対物レンズ２１を経て再び第１の１／４波長板８１を通過し、このとき、円偏光がＳ偏光の光に変換される。このＳ偏光の光は、第１視準レンズ７１を経て第１ビームスプリッタ３０によって反射され、第３ビームスプリッタ１１０によって反射されて第１光検出器４１で受光されることで、トラッキング制御のための誤差信号が検出される。
【００３９】
一方、ＨＤ−ＤＶＤを記録／再生する場合、偏光スイッチ５０に電圧が印加されると、光源１０に出射されたＰ偏光の光は、偏光スイッチ５０を通過してＳ偏光の光に変換される。このＳ偏光の光は、第１ビームスプリッタ３０によって第２ビームスプリッタ６０側に反射され、第２ビームスプリッタ６０によって第２対物レンズ２２側に反射される。第２ビームスプリッタ６０によって反射された光は、第２視準レンズ７２及び第２の１／４波長板８２を経て第２対物レンズ２２によってＨＤ−ＤＶＤの記録面に光スポットを形成する。このようにＨＤ−ＤＶＤの記録面に光スポットを形成した光は、反射されて戻りながら再び第２の１／４波長板を通過するが、このとき、光がＰ偏光の光になる。このＰ偏光の光は、第２視準レンズ７２及び第２ビームスプリッタ６０を経て第１ビームスプリッタ３０に入射されるが、第１ビームスプリッタ３０に入射された光は、第１ビームスプリッタ３０をそのまま透過して第３ビームスプリッタ１１０に入射される。第３ビームスプリッタ１１０に入射された光は、第３ビームスプリッタ１１０をそのまま透過して第２光検出器４２で受光されることで、トラッキング制御のための誤差信号が検出される。
【００４０】
特に、本発明では、第１ビームスプリッタ３０から第１光検出器４１までの光経路距離Ｄ１’＋Ｄ１”と、第１ビームスプリッタ３０から第２光検出器４２までの光経路距離Ｄ２とが同一になるように光検出器４１，４２が位置するので、第１光検出器４１及び第２光検出器４２として同一のＰＤＩＣを用いることができる。
【図面の簡単な説明】
【００４１】
【図１】本発明の第１実施例に係る光ピックアップの構成の概略図である。
【図２】本発明の第２実施例に係る光ピックアップの構成の概略図である。
【符号の説明】
【００４２】
１０  光源
２１  第１対物レンズ
２２  第２対物レンズ
３０  第１ビームスプリッタ
４１  第１光検出器
４２  第２光検出器
５０  偏光スイッチ
６０  第２ビームスプリッタ
８１  第１の１／４波長板
８２  第２の１／４波長板
１１０  第３ビームスプリッタ
１２０  回折素子
【図１】
2008052888.tif 000003
【図２】
2008052888.tif 000004